(57)【要約】【課題】見栄えの良い撮影画像を取得できる写真撮影方法およびその装置を提供し、撮影画像に対する利用者の満足度を向上させる。【解決手段】撮影空間内の一以上の利用者を撮影して撮影画像を作成する撮影処理が実行可能な撮影手段と、該撮影画像を編集して編集画像を作成する編集処理が実行可能な編集手段と、前記撮影画像または／および前記編集画像を出力する出力処理が実行可能な出力手段とを備えた写真撮影装置に、利用者が前記撮影手段に向かって足を下方斜め前方へ伸ばした状態で腰掛けられる高さに設けられた腰掛部と、該腰掛部に腰掛けた利用者の足位置を前記下方斜め前方へ伸ばした状態より後方へ移動できないよう制限する足位置制限部とを有する撮影姿勢補助体を、前記撮影空間内に備え、前記撮影手段を、前記撮影姿勢補助体の腰掛部に腰掛けた利用者を斜め下方へ向かって撮影する角度に設置した。【選択図】図４
2008164906.tif 000002
【特許請求の範囲】
【請求項１】
利用者の操作を受け付けた後に撮影空間内の一以上の利用者を撮影手段で撮影して撮影画像を作成する撮影処理と、
前記撮影画像を出力手段で出力する出力処理とを実行する写真撮影方法であって、
利用者が前記撮影手段に向かって足を下方斜め前方へ伸ばした状態で腰掛けられる高さに設けられた腰掛部と、該腰掛部に腰掛けた利用者の足位置を前記下方斜め前方へ伸ばした状態より後方へ移動できないよう制限する足位置制限部とを有する撮影姿勢補助体が、前記撮影空間内に備えられ、
前記撮影手段は、前記撮影姿勢補助体の腰掛部に腰掛けた利用者を斜め下方へ向かって撮影する角度に設置され、
該角度に設置された前記撮影手段により撮影を行う
写真撮影方法。
【請求項２】
前記撮影姿勢補助体は、
前記腰掛部から前記足位置規制部までの表面を、なだらかに連続させて一体的に形成されている
請求項１記載の写真撮影方法。
【請求項３】
前記撮影手段による撮影範囲は、
前記腰掛部に腰掛けずに立っている利用者の頭頂が該撮影範囲の上端より上方へはみ出し、かつ、
前記腰掛部に腰掛けている利用者の頭頂が該撮影範囲内に収まるように設定されている
請求項１または２記載の写真撮影方法。
【請求項４】
前記撮影姿勢補助体の後方に該撮影姿勢補助体よりも背の高い背景部材が備えられ、
該背景部材と前記撮影姿勢補助体との間で前記腰掛部の上端より低い位置に、前記腰掛部の後方周辺を照明する照明手段が備えられ、
前記腰掛部に腰掛けた利用者を前記撮影手段により撮影する際に、前記照明手段で前記腰掛部の後方周辺を照明する
請求項１、２、または３記載の写真撮影方法。
【請求項５】
利用者の操作を受け付けた後に撮影空間内の一以上の利用者を撮影して撮影画像を作成する撮影処理が実行可能な撮影手段と、
前記撮影画像を出力する出力処理が実行可能な出力手段とを備えた写真撮影装置であって、
利用者が前記撮影手段に向かって足を下方斜め前方へ伸ばした状態で腰掛けられる高さに設けられた腰掛部と、該腰掛部に腰掛けた利用者の足位置を前記下方斜め前方へ伸ばした状態より後方へ移動できないよう制限する足位置制限部とを有する撮影姿勢補助体を、前記撮影空間内に備え、
前記撮影手段を、前記撮影姿勢補助体の腰掛部に腰掛けた利用者を斜め下方へ向かって撮影する角度に設置した
写真撮影装置。
【請求項６】
前記撮影姿勢補助体は、
前記腰掛部から前記足位置規制部までの表面を、なだらかに連続させて一体的に形成した
請求項５記載の写真撮影装置。
【請求項７】
前記撮影手段による撮影範囲を、
前記腰掛部に腰掛けずに立っている利用者の頭頂が該撮影範囲の上端より上方へはみ出し、かつ、
前記腰掛部に腰掛けている利用者の頭頂が該撮影範囲内に収まるように設定した
請求項５または６記載の写真撮影装置。
【請求項８】
前記撮影姿勢補助体の後方に該撮影姿勢補助体よりも背の高い背景部材を備え、
該背景部材と前記撮影姿勢補助体との間で前記腰掛部の上端より低い位置に、前記腰掛部の後方周辺を照明する照明手段を備えた
請求項５、６、または７記載の写真撮影装置。
【発明の詳細な説明】
【技術分野】
【０００１】
この発明は、例えば被写体となる利用者を撮影して撮影画像を取得し、この撮影画像を出力するような写真撮影方法およびその装置に関する。
【背景技術】
【０００２】
従来、利用者を撮影し、撮影で得た撮影画像に編集（落書き）を行い、編集が施された編集画像もしくは撮影画像を写真シール紙に印刷するという流れで１ゲームが終了する写真撮影編集装置が提案されている。この写真撮影編集装置は、娯楽（遊戯）施設等に設置されている。
【０００３】
このような写真撮影編集装置を利用するユーザは、女子中学生や女子高校生が多く、平日の学校帰りや休日の外出時に数人のグループで利用する傾向にある。そして、これらのユーザは、複数人のユーザ達が写っている撮影画像に対して、様々な編集を行いながら楽しんでいる。
【０００４】
近年、ユーザは、お気に入りの撮影画像を得るために、撮影に重点をおきながら、様々なポーズで撮影を行っている。そして、様々なポーズで撮影できるように、利用者の上半身や顔を画像いっぱいに撮影できるアップ撮影や、制服姿や私服姿を撮るために利用者の頭から足先まで撮影できる全身撮影などが行える写真撮影編集装置が提案されている（特許文献１〜４参照）。また、さらに様々なポーズがとれるように、姿勢を支持する部材や階段が撮影空間に備わっているものも提案されている（特許文献２，３参照）。このように、ユーザの撮影する行為に対して、遊戯性の高い写真撮影編集装置が提案されている。
【０００５】
ここで、特許文献１、２のような写真撮影編集装置は、撮影筐体の正面に備えられたカメラで撮影を行える。この写真撮影編集装置で全身撮影を行う場合、利用者はアップ撮影よりもカメラから離れた位置で、焦点の固定されたカメラの画角に入るように立ち位置を変えて撮影する。このとき、良いポジションで撮影できなければ、利用者の本来の姿よりも上半身が長く足が短く写り、撮影画像は見栄えの悪いものになる。
【０００６】
特許文献２のような写真撮影編集装置は、利用者が階段を使って傾斜面に全身を沿わせて撮影を行う。この写真撮影編集装置は、垂直に立ったときよりも頭から足先までの全身をカメラ画角に入れることが容易であり、垂直に立ったときよりも身長が伸びたように写る。しかし、この写りにおける上半身と下半身の長さの比率は、利用者の本来の長さの比率と変わらず同一である。このため、良いポジションで撮影できなければ、撮影画像は、見栄えの悪いものになる。また、この写真撮影編集装置は、複数の階段が設置されているため、全身撮影からアップ撮影を行う場合に上り下りが面倒であり、様々なポーズ撮影を容易に行うためには不便であるという問題点がある。
【０００７】
特許文献３のような写真撮影編集装置は、カーテンの後方に姿勢補助具が固定されている。この写真撮影編集装置は、カーテンを使用して撮影する際に、利用者が姿勢補助具にもたれる、あるいは利用者が姿勢補助具を手で握ると、カーテンにひだやしわが生じ、カーテンに影ができる。このため、撮影画像は見栄えの悪いものとなる。
【０００８】
このように、従来の写真撮影編集装置は、撮影画像の見栄えが悪くなり、ユーザに満足の行く写真シールを提供することができないという問題点がある。
【０００９】
【特許文献１】特開２００２−２３２７４９号公報
【特許文献２】特開２００２−３３０３１６号公報
【特許文献３】特開２００６−２２７３１４号公報
【特許文献４】特開２００３−１５２１２号公報
【発明の開示】
【発明が解決しようとする課題】
【００１０】
この発明は、上述の問題に鑑み、見栄えの良い撮影画像を取得できる写真撮影方法およびその装置を提供し、撮影画像に対する利用者の満足度を向上させることを目的とする。
【課題を解決するための手段】
【００１１】
この発明は、利用者の操作を受け付けた後に撮影空間内の一以上の利用者を撮影手段で撮影して撮影画像を作成する撮影処理と、前記撮影画像を出力手段で出力する出力処理とを実行する写真撮影方法またはその装置であって、利用者が前記撮影手段に向かって足を下方斜め前方へ伸ばした状態で腰掛けられる高さに設けられた腰掛部と、該腰掛部に腰掛けた利用者の足位置を前記下方斜め前方へ伸ばした状態より後方へ移動できないよう制限する足位置制限部とを有する撮影姿勢補助体が、前記撮影空間内に備えられ、前記撮影手段は、前記撮影姿勢補助体の腰掛部に腰掛けた利用者を斜め下方へ向かって撮影する角度に設置され、該角度に設置された前記撮影手段により撮影を行う写真撮影方法またはその装置であることを特徴とする。
【００１２】
前記撮影空間は、撮影用に利用者に提供する空間を指し、前記撮影手段で撮影可能な範囲の空間、若しくは、背景部材や出入り口部材等の周景部材で囲繞（若しくは略囲繞）した空間で構成することができる。  
前記撮影手段は、デジタルカメラ又はデジタルビデオカメラで構成することができる。
【００１３】
前記出力手段は、インクジェットプリンタ、昇華型熱転写プリンタや溶融型熱転写プリンタ等の熱転写プリンタ、又はレーザプリンタ等、モノトーン、セピア（ｓｅｐｉａ）トーン又はカラー等で画像を印刷する印刷手段、画像データを送信する通信手段、又は画像データを記憶媒体に書き込む記憶媒体リーダ／ライタで構成することができる。
【００１４】
前記撮影姿勢補助体は、腰掛部と足位置制限部とを有して一体に形成した一つの部材とする、あるいは、腰掛部と足位置制限部とを別体で構成した複数の部材とすることができる。
【００１５】
この発明により、利用者が腰掛部に腰掛けた際に足位置が下方斜め前方に位置ように姿勢補助することができ、利用者を好適な姿勢で撮影した写りの良い撮影画像を取得することができる。特に利用者が上半身を鉛直方向に真っ直ぐにして腰掛部に腰掛け、かつ足を下方斜め前方へ向かって真っ直ぐ伸ばしていれば、この利用者に対向して斜め下方へ向かって撮影する撮影手段により、利用者の本来の姿より上半身が短く足が長く写り、撮影画像に対する利用者の満足度を非常に高めることができる。
【００１６】
この発明の態様として、前記撮影姿勢補助体は、前記腰掛部から前記足位置規制部までの表面を、なだらかに連続させて一体的に形成することができる。  
これにより、撮影姿勢補助体に不要な影が生じることを防止でき、良好な撮影画像を得ることができる。特に撮影姿勢補助体の表面をクロマキー合成に適した１色（緑、青、あるいは白など）にしてクロマキー合成する場合、不要な影が生じないことで良好なクロマキー合成を行うことができる。
【００１７】
またこの発明の態様として、前記撮影手段による撮影範囲を、前記腰掛部に腰掛けずに立っている利用者の頭頂が該撮影範囲の上端より上方へはみ出し、かつ、前記腰掛部に腰掛けている利用者の頭頂が該撮影範囲内に収まるように設定することができる。
【００１８】
これにより、全身撮影する利用者に、自然に好適な姿勢をとらせることができる。詳述すると、全身撮影する利用者には、通常、頭頂から足先まで切れずに写そうとする心理が働く。そして、利用者がまっすぐ立っている状態では、頭頂が撮影範囲に入らず撮影画像上で切れてしまい、頭頂を入れようとすると自然に腰掛部に腰掛けることになる。利用者が腰掛部に腰掛けると、足位置制限部によって足位置が下方斜め前方へ位置することになる。このようにして、利用者は、自然に好適な姿勢をとることができ、初めて利用する利用者や不慣れな利用者であっても、好適な姿勢で撮影した良好な撮影画像を確実に取得することができる。
【００１９】
またこの発明の態様として、前記撮影姿勢補助体の後方に該撮影姿勢補助体よりも背の高い背景部材を備え、該背景部材と前記撮影姿勢補助体との間で前記腰掛部の上端より低い位置に、前記腰掛部の後方周辺を照明する照明手段を備えることができる。
【００２０】
これにより、腰掛部の後方周辺に影が発生することを防止でき、不要な影のない良好な撮影画像を取得できる。特にクロマキー合成を行う場合に、不要な影が無いことで良好なクロマキー合成を行うことができる。
【発明の効果】
【００２１】
この発明により、見栄えの良い撮影画像を取得でき、撮影画像に対する利用者の満足度を向上させることができる。
【発明を実施するための最良の形態】
【００２２】
この発明の一実施形態を以下図面と共に説明する。  
図１は写真シール作成装置（写真撮影編集装置）１を正面側から見た斜視図を示し、図２は撮影筐体２の斜視図を示し、図３は写真シール作成装置１を背面側から見た斜視図を示し、図４は写真シール作成装置１の撮影空間Ｚ周辺の側面図を示す。
【００２３】
写真シール作成装置１は、撮影空間Ｚに正面を向けて設置された撮影筐体２と、該撮影筐体２の背面側に連接された編集筐体３とで主に構成されている。なお、図１では、撮影空間Ｚの上方の天井４、撮影空間Ｚの後方面の背面パネル６、撮影空間Ｚの後方左右側面の側面パネル５、および撮影空間Ｚの左右側面の出入り口カーテン７を透明化して図示している。ここで、背面パネル６は、カーテンや板等の背景部材で構成されて撮影画像の背景となるものである。
【００２４】
撮影空間Ｚの上方の天井４には、ストロボ照明体２３ａと蛍光灯２３ｂと拡散板２３ｃとで構成される天井中央照明ユニット２３８が設けられている。この天井中央照明ユニット２３８は、ストロボ照明体２３ａと蛍光灯２３ｂの照明光を拡散板２３ｃで拡散した拡散光により、撮影空間Ｚ内の利用者を上から照明する。利用者が後方に下がって全身撮影を行う際には、利用者を前方斜め上から照明し、利用者の主に顔を照明できる。
【００２５】
撮影空間Ｚの上後方の天井４には、蛍光灯２３ｂと拡散板２３ｃとで構成される天井後方照明ユニット２３７が設けられている。この天井後方照明ユニット２３７は、蛍光灯２３ｂの照明光を拡散板２３ｃで拡散した拡散光により、撮影空間Ｚ内の利用者を上後方から照明する。
【００２６】
撮影空間Ｚの後方部分の床面には、撮影補助椅子９が設置されている。この撮影補助椅子９は、縦断側面が略Ｌ字型となる左右方向に横長の形状に形成されている。
【００２７】
図４に示すように、この撮影補助椅子９は、上方へ凸となる半円弧形の腰掛部９ａが上方に設けられている。腰掛部９ａのカメラ２４側の端部（正面側端部）には、鉛直よりも下方斜め前方に傾斜している傾斜部９ｂが連接して設けられている。傾斜部９ｂの下端には、下方斜め後方へ凸となる円弧状の足位置制限部９ｃが連接して設けられている。足位置制限部９ｃのカメラ２４側の端部（正面側端部）には、略水平となる台部９ｄが連接して設けられている。台部９ｄのカメラ２４側の端部（正面側端部）には、カメラ２４側（正面側）へ向かって凸となる半円弧状の湾曲部９ｅが連接して設けられている。
【００２８】
この腰掛部９ａから順番に傾斜部９ｂ、足位置制限部９ｃ、台部９ｄ、および湾曲部９ｅまでの表面は、なだらかに連続して形成されており、その表面の全面に１枚の表面シート９ｆがしわ等のないように密着して貼り付けられている。
【００２９】
台部９ｄの上面から腰掛部９ａの上面までの高さは、主に女子中学生や女子高校生の利用者が腰掛部９ａに腰掛けた際に、かかとが台部９ｄに届かない程度の高さに形成されている。さらに言えば、この高さは、腰掛けた利用者のかかとが台部９ｄに届かず、腰掛けた利用者のつま先が台部９ｄに届くか届かない程度となる６５０ｍｍ〜７５０ｍｍの高さに形成することが好ましく、この実施形態ではより好ましい７１０ｍｍの高さに形成されている。これにより、腰掛部９ａに腰掛けた利用者の足が、台部９ｄに届いてしまって曲がることなく、真っ直ぐ下方斜め前方へ伸びるようにしている。
【００３０】
この撮影補助椅子９は、複数人の利用者が台部９ｄに乗り、腰掛部９ａに腰掛けられるように、複数人が乗っても耐えられるだけの強度に形成されている。なお、腰掛部９ａには、利用者が腰掛けたときの感触を良好にするためクッションを設けてもよい。
【００３１】
撮影補助椅子９の後方には、ストロボ照明体２３ａと拡散板２３ｃとで構成される背景照明ユニット２３９が設けられている。背景照明ユニット２３９の拡散板２３ｃは、撮影補助椅子９の腰掛部９ａより少し低い高さに設けられている。またこの拡散板２３ｃは、背面パネル６の下端より高い位置に設けられている。このため背面パネル６は、撮影空間Ｚの天井から拡散板２３ｃまでの間全体の背面を囲繞している。
【００３２】
この背景照明ユニット２３９は、背面パネル６や撮影補助椅子９の後方、特に腰掛部９ａの後方領域Ｅ１を下から照明することで、背景を明るくする。これにより、背面パネル６と撮影補助椅子９の両方をクロマキー合成用に同一色とした場合に、両者の間に影が生じることを防止してクロマキー合成の精度を高めている。
【００３３】
図２に示すように、撮影筐体２は、主に上段部分２Ａ、中段部分２Ｂ、下段部分２Ｃに分けて構成されている。
【００３４】
上段部分２Ａには、左側の上段左照明ユニット２３１Ａ、中央の上段中央照明ユニット２３１Ｂ、および右側の上段右照明ユニット２３１Ｃが設けられている。これらの照明ユニット２３１Ａ〜２３１Ｃは、表面を斜め下方へ向けた平面状の拡散板２３ｃがそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ以外の壁面は、表面が白色塗装されて反射面として構成されている。これにより、照明ユニット２３１Ａ〜２３１Ｃは、光を内部で反射して拡散板２３ｃで拡散した略均一な面光により照明する照明ボックスとして機能し、撮影空間Ｚ内で撮影補助椅子９の腰掛部９ａに腰掛けて頭頂から足先まで写す全身撮影する利用者をこの面光により照明できる。
【００３５】
上段中央照明ユニット２３１Ｂの中央部分には、上下方向に長い部分照明ユニット２３２が設けられている。この部分照明ユニット２３２は、ストロボ照明体２３ａと拡散板２３ｃとで構成されており、上半身（若しくは顔付近）のアップ撮影を行う利用者の顔、特に鼻筋辺りを拡散光により照明する。
【００３６】
上段部分２Ａと中段部分２Ｂとの間には、撮影空間Ｚ内の利用者を撮影するデジタル式のカメラ２４が左右方向中央に設けられている。このカメラ２４は、図４に示すように、撮影方向を水平よりも角度αだけ下方に向けて傾斜させて、撮影方向の先が撮影補助椅子９の腰掛部９ａあたりとなるように配置されている。このカメラ２４は、撮影前にはポーズをとっている利用者のライブビュー映像（動画）を取得し、撮影時には高解像度の撮影画像（静止画）を取得する。
【００３７】
カメラ２４の左右には、図２に示すように球状照明ユニット２３３Ａ，２３３Ｃが左右対称に配設されている。この球状照明ユニット２３３Ａ，２３３Ｃは、左右方向内側へ向けて傾けて配置された半球形の拡散板２３ｃと、内部のストロボ照明体２３ａおよび蛍光灯２３ｂと、背面側へ凸な半球形の反射部材とで構成されている。ストロボ照明体２３ａおよび蛍光灯２３ｂは、撮影筐体２の正面側へ凸な半球形の拡散板２３ｃと、撮影筐体２の背面側へ凸な半球形の反射部材とで囲まれている。このため、ストロボ照明体２３ａおよび蛍光灯２３ｂが照射した光は、内面が白色塗装された反射部材で反射され、拡散板２３ｃで拡散されて略均一な面光となる。この球状照明ユニット２３３Ａ，２３３Ｃは、撮影空間Ｚ内で顔付近のアップ撮影をする利用者を柔らかい面光で照明する。
【００３８】
中段部分２Ｂには、左側の中段左照明ユニット２３５Ａ、中央の中段中央照明ユニット２３５Ｂ、および右側の中段右照明ユニット２３５Ｃが設けられている。これらの照明ユニット２３５Ａ〜２３５Ｃは、表面を斜め上方へ向けた平面状の拡散板２３ｃ（またはスクリーン板６０）がそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ（およびスクリーン板６０）以外の壁面は、表面が白色塗装されて反射面として構成されている。これにより、照明ユニット２３５Ａ〜２３５Ｃは、光を内部で反射して拡散板２３ｃ（またはスクリーン板６０）で拡散した略均一な面光により照明する照明ボックスとして機能し、撮影空間Ｚにてアップ撮影する利用者をこの面光により照明できる。
【００３９】
また、中段中央照明ユニット２３５Ｂは、正面に拡散板２３ｃではなくスクリーン板６０が設けられている。このスクリーン板６０は、表示照明兼用ユニット（図示省略）の一部であり、内部に備えられたストロボ照明体の照明光を拡散する拡散板として機能するだけでなく、内部に備えられたプロジェクタ（図示省略）の投射映像２５Ｓ（図２参照）を投影するスクリーンとしても機能する。
【００４０】
なお、この投射映像２５Ｓ部分は、カメラ２４に近接して、カメラ２４の直下位置に配置されている。また投射映像２５Ｓ部分は、カメラ２４を挟んで上方の部分照明ユニット２３２と上下対称位置に配置されている。
【００４１】
中段右照明ユニット２３５Ｃの正面中央部分には、タッチパネルモニタ２６が設けられている。このタッチパネルモニタ２６には、撮影時の立ち位置や撮影タイミングなどの情報や撮影における撮影条件を選択許容する画面（例えば、写りや明るさを選択させる画面）を表示して利用者に必要な情報を案内する。
【００４２】
下段部分２Ｃには、左側の下段左照明ユニット２３６Ａと右側の下段右照明ユニット２３６Ｃとが設けられている。これらの照明ユニット２３６Ａ，２３６Ｃは、平面状の拡散板２３ｃがそれぞれの正面に設けられ、内部にストロボ照明体２３ａおよび蛍光灯２３ｂが設けられている。また、ストロボ照明体２３ａおよび蛍光灯２３ｂを囲む拡散板２３ｃ以外の壁面は、表面が白色塗装されて反射面として構成されている。これにより、照明ユニット２３６Ａ，２３６Ｃは、光を内部で反射して拡散板２３ｃで拡散した略均一な面光により照明する照明ボックスとして機能し、撮影空間Ｚ内で撮影補助椅子９の腰掛部９ａに腰掛けて全身撮影する利用者の体をこの面光により照明できる。
【００４３】
なお、各照明ユニット２３２〜２３９に用いられている拡散板２３ｃは、数ミリ程度の肉厚で乳白色の半透明でアクリル製の板部材で構成されている。したがって、拡散板２３ｃの厚み全体で光を拡散する。
【００４４】
下段左照明ユニット２３６Ａと下段右照明ユニット２３６Ｃの間となる中央部分には、ゲームプレイに必要な硬貨の投入を許容する硬貨投入口２１ａと、投入硬貨の返却や釣銭の返却等を行う返却口２１ｂと、荷物置き用の荷物置き部２９が設けられている。
【００４５】
図３に示すように、編集筐体３には、左右両面に編集用モニタ３２、該編集用モニタ３２に重ねて配置されたタブレット３３、およびタッチペン３４が設けられている。これにより、編集筐体３の右側と左側の両方で並行して編集処理を実行し、さらに撮影空間Ｚでの撮影処理と含めて並行して実行させて３重接客ができるように構成されている。
【００４６】
また、左右両面の上部には編集用照明３８が設けられている。この編集用照明３８は、編集空間を照明している。
【００４７】
また、左右両面の編集用モニタ３２の横には、追加印刷の料金投入に用いられる硬貨投入口３６ａおよび返却口３６ｂが設けられている。
【００４８】
編集筐体３の撮影筐体２との反対側面には、写真シールシート排出口３７ａが設けられている。この写真シールシート排出口３７ａから完成した写真シールシートを排出することで、編集処理を行う編集空間とは別の場所で利用者が写真シールシートを受け取れるようにしている。
【００４９】
図５は、写真シール作成装置１のブロック図を示す。  
写真シール作成装置１は、制御装置１２に接続して、記憶部１１、通信部１３、ドライブ１４、ＲＯＭ１６、ＲＡＭ１７、撮影部２０、編集部３０、およびプリンタ３７が設けられている。
【００５０】
記憶部１１は、ハードディスクなどの記憶装置で構成されている。この記憶部１１は、編集処理に使用する編集ツールのデータや照明設定データ、およびプレイ時間設定データなどの各種データを記憶しており、制御装置１２による設定情報の読み込みおよび保存を許容する。
【００５１】
通信部１３は、インターネットなどの通信網を介してサーバ等の適宜の装置と通信するＬＡＮカード等の通信装置で構成されている。この通信部１３は、制御装置１２の制御信号に従って、撮影画像や編集画像をサーバのデータベースに登録する、あるいは利用者のメールアドレスへ撮影画像や編集画像を送信するといった動作を行う。
【００５２】
ドライブ１４は、携帯型の不揮発性メモリやＵＳＢメモリといったリムーバブルメディア１５に対してデータの読み書きを行うドライブ装置で構成されている。このドライブ１４は、制御装置１２の制御信号に従って、撮影画像や編集画像を利用者の所有するリムーバブルメディア１５に書き込み、またリムーバブルメディア１５に記憶されている撮影画像や編集画像、あるいは編集用アイテムといったデータを読取る。
【００５３】
ＲＯＭ１６は、写真シール作成装置１で実行するゲームのプログラムやメンテナンス用のプログラムなど、各種プログラムやデータを記憶している。  
ＲＡＭ１７は、制御装置１２によって一時記憶領域として使用される。
【００５４】
撮影部２０は、硬貨処理部２１、背景制御部２２、照明装置２３、カメラ２４、プロジェクタ２５、タッチパネルモニタ２６、およびスピーカ２７といったように、撮影空間Ｚ側に配置された各種装置で構成されている。
【００５５】
硬貨処理部２１は、硬貨投入口２１ａ（図２参照）から投入された硬貨の投入金額が１ゲーム（硬貨投入から写真シール紙排出まで）に必要な金額以上であれば、起動信号を制御装置１２に送信する。
【００５６】
照明装置２３は、制御装置１２から受信した照明制御信号に従い、上述した各照明ユニット２３２〜２３９のストロボ照明体２３ａから閃光を照射する。
【００５７】
カメラ２４は、制御装置１２から受信したシャッタ信号に従って撮影を実行し、取得した撮影画像や動画像の画像データを制御装置１２に送信する。
【００５８】
プロジェクタ２５は、制御装置１２から受信したＲＧＢ信号に従って、撮影前の確認用にカメラ２４で撮影している動画像をスクリーン板６０に投影させてライブビュー表示し、また撮影により取得した撮影画像を静止画表示するといった表示を実行する。
【００５９】
タッチパネルモニタ２６は、制御装置１２からＲＧＢ信号を受信し、撮影モードの選択画面の表示、撮影の際の立ち位置の案内、および撮影タイミングのカウントダウンなど、撮影に必要な情報を表示する。また、利用者に入力された入力信号（座標信号）を制御装置１２に送信する。
【００６０】
スピーカ２７は、制御装置１２の音声信号に従って、撮影のシャッタタイミングを知らせるカウントダウンや、２つある編集空間のいずれか一方への移動を促す移動案内などを音声によりアナウンスする。
【００６１】
編集部３０は、タブレット内蔵モニタ３１、編集用モニタ３２、タブレット３３、タッチペン３４、スピーカ３５、および硬貨処理部３６で構成されている。
【００６２】
タブレット内蔵モニタ３１は、制御装置１２から受信するＲＧＢ信号に従って、撮影画像のサムネイル画像、フリーハンドペンや塗りつぶしツールやスタンプツールや背景ツールといった編集ツール、および編集中の編集画像など、編集に必要な画像を編集用モニタ３２に表示する。  
タブレット３３は、タッチペン３４によって利用者にタッチ入力された座標を入力信号として制御装置１２に送信する。
【００６３】
スピーカ３５は、制御装置１２からの音声信号に従って、編集許容する残り時間や編集操作の説明などを音声によりアナウンスする。  
硬貨処理部３６は、硬貨投入口３６ａ（図３参照）から投入された硬貨の投入金額が写真シールシートの追加印刷に必要な金額以上であれば、起動信号を制御装置１２に送信する。
【００６４】
プリンタ３７は、制御装置１２から受信する印刷データを、シール紙ユニット４０に備えられているシール紙４２に印刷する。
【００６５】
図６は、写真シール作成装置１の制御装置１２が実行するゲーム処理のフローチャートを示す。
【００６６】
制御装置１２は、ゲーム料金分の硬貨の投入を硬貨処理部２１で確認するまで待機し（ステップＳ１：ＮＯ）、ゲーム料金分の硬貨が投入されると（ステップＳ１：ＹＥＳ）、撮影処理を実行する（ステップＳ２）。
【００６７】
制御装置１２は、撮影処理が終了すると２つの編集空間のうち一方（他の利用者がおらず空いている方）の編集空間への移動をタッチパネルモニタ２６およびスピーカ２７により利用者に案内する（ステップＳ３）。
【００６８】
制御装置１２は、案内した側の編集空間に設置された編集部３０での編集を許容する（ステップＳ４）。この編集では、ペンツールやスタンプツールなどの適宜のツールを使って、編集用モニタ３２に表示している編集画面１１０の編集画像にタッチペン３４で編集する操作を許容する。
【００６９】
制御装置１２は、印刷処理を実行して完成した編集画像を印刷する（ステップＳ５）。この印刷処理では、８分割や１６分割などの適宜のパターンに編集画像を配置した印刷画像を作成し、この印刷画像をシール紙に印刷して写真シールシートを作成する。
【００７０】
制御装置１２は、追加印刷用の硬貨が投入されていれば（ステップＳ６：ＹＥＳ）、追加印刷処理を実行する（ステップＳ７）。この追加印刷処理では、一覧表示した複数の編集画像から追加印刷する編集画像を利用者に選択させ、さらに印刷レイアウトを選択させて、選択された印刷レイアウトに選択された編集画像を配置してシール紙に印刷し、印刷完了した写真シールシートを排出し、ステップＳ８に処理を進める。  
前記ステップＳ６で追加印刷用の硬貨が投入されていなければ（ステップＳ６：ＮＯ）、制御装置１２はステップＳ８に処理を進める。
【００７１】
制御装置１２は、事後接客処理を行う（ステップＳ８）。この事後接客処理では、画像を携帯端末に送信できるゲームや、画像を投稿できるゲームなどのミニゲームを提供しており、これらの複数のミニゲームから利用者に選択されたミニゲームを実行する。
【００７２】
制御装置１２は、シール排出画面を表示して写真シールシートの排出口へ移動するように利用者に案内し（ステップＳ９）、写真シールシートを排出し（ステップＳ１０）、処理を終了する。
【００７３】
以上の構成および動作により、写真シール作成装置１は、撮影補助椅子９で利用者の撮影姿勢を補助してカメラ２４で撮影することができる。
【００７４】
図７の側面視による説明図に点線で示すように、全身撮影しようとして撮影空間Ｚの後方へ下がり、撮影補助椅子９の台部９ｄに乗った利用者Ｍ１は、ライブビュー表示の映像により、台部９ｄの上にまっすぐに立った状態では頭頂ｈ１が切れている（２点鎖線で示す撮影範囲Ｅ２内に頭頂ｈ１が入っていない）ことを理解できる。このため、実線で示すように、頭頂ｈ２を撮影範囲内に入れようとすると、利用者Ｍ２は腰掛部９ａに自然に腰掛けることとなり、利用者Ｍ２は適切な姿勢をとることができる。
【００７５】
また、仮に真っ直ぐに立った状態で撮影すると、利用者の身長差がそのまま撮影画像における高さの差に反映する。しかし、利用者を腰掛部９ａに腰掛けさせることにより、撮影画像における利用者の高さの差を、身長差よりも差の小さい座高差に抑えることができ、利用者の高さをある程度そろえて撮影できる。これにより、利用者の身長差等による高さのばらつきを抑えることができる。またこれにより、撮影画像における利用者の頭頂より上方に不要な余白（背景）が必要以上に生じることを防止でき、撮影範囲を有効に使って利用者をなるべく大きく撮影することができる。
【００７６】
また、撮影補助椅子９における略水平な台部９ｄから傾斜部９ｂまでの足位置制限部９ｃは、湾曲しながら序々に立ち上がる形状である。このため、腰掛部９ａに腰掛けた利用者の足の状態は、足のつま先を下方へ伸ばした状態となる。これにより、利用者は足先を伸ばした美しい撮影画像を、特に意識することなく容易に取得することができる。
【００７７】
また、足位置制限部９ｃは、腰掛部９ａよりもカメラ２４側となる前方に位置しているため、腰掛部９ａに腰掛けた利用者は、足が斜め下方へ伸ばした状態となり、この足をこれより後方へ位置させることができなくなる。これにより、カメラ２４の画角との関係で、本来の足の長さよりも足が長く見える撮影画像を取得できる。
【００７８】
詳述すると、図８の側面視による説明図に示すように、真っ直ぐ立った状態の利用者Ｍ１より、撮影補助椅子９の腰掛部９ａに腰掛けて足を下方斜め前方へ伸ばした利用者Ｍ２の方が、Ｌ１に示すように足が長く写ることになる。  
また、適宜の斜面等に沿って頭頂から足先までの全身を傾斜させて撮影した利用者Ｍ３の上半身Ｌ２よりも、腰掛部９ａに腰掛けた利用者Ｍ２の上半身Ｌ３の方が短く写る。  
従って、利用者を本来の姿よりも上半身が短く足の長い姿に写すことができ、撮影画像に対する利用者の満足度を格別に向上させることができる。
【００７９】
また、撮影補助椅子９の表面はしわや凹凸のない滑らかな面状に形成されているため、クロマキー合成に適した撮影画像を得ることができる。
【００８０】
また、背景照明ユニット２３９により腰掛部９ａの後方領域Ｅ１を照明できるため、撮影画像における腰掛部９ａと背面パネル６の間に現れやすい影を防止でき、クロマキー合成に適した撮影画像を得ることができる。
【００８１】
また、背景照明ユニット２３９は、拡散板２３ｃで拡散したやわらかなストロボ光により腰掛部９ａの後方領域Ｅ１を横幅全体に渡って照明できる。このため、利用者の人数や利用者の腰掛ける位置にかかわらず、腰掛部９ａと背面パネル６の間に現れやすい影を防止できる。
【００８２】
また、背景照明ユニット２３９は、ストロボ照明体２３ａの照明方向を下方へ向け、上方の拡散板２３ｃで拡散する構成としたため、１つのストロボ照明体２３ａで後方領域Ｅ１の横幅全体を十分に照明できる。また背景照明ユニット２３９のストロボ照明体２３ａを１つとすることでコストダウンを図ることができる。
【００８３】
また、背景照明ユニット２３９は、背面パネル６の後方ではなく、背面パネル６の前方で撮影補助椅子９の後方に配置したため、背面パネル６の後方に余分なスペースを設ける必要がなく、写真シール作成装置１全体の大きさを小さくでき、設置スペースの有効活用を図ることができる。  
詳述すると、従来技術で説明した特許文献４のような写真シール作成装置１は、背景カーテンの背面にストロボが設置されている。全身撮影を行うためには、撮影空間を広くとらなければならないことから、背景カーテンの背面に設置するストロボの分だけ写真シール作成装置１全体が大きくなる。このため、この写真シール作成装置１は、設置スペースを有効に活用できないという問題点がある。また、設置スペースを考えて写真シール作成装置１全体を小さくすると、背景カーテンを最背面よりも前方に位置させることから利用者がカメラから離れられる距離が短くなり、全身撮影を行えないことになる。しかし、上述したように、背面パネル６の前方で撮影補助椅子９の後方に背景照明ユニット２３９を配置することで、設置スペースの有効活用を図り、かつ全身撮影を行うことができる。
【００８４】
また、カメラ２４の位置と撮影方向（画角）を撮影補助椅子９に向けて調整したことにより、頭頂から足先までの全身撮影を行った利用者を、撮影画像における中央に位置させることができ、バランスのよい撮影画像を得ることができる。
【００８５】
なお、撮影画像に編集を行う編集手段としてタブレット内蔵モニタ３１を備えたが、これ以外のものを編集手段として備えても良い。具体的には、編集手段は、利用者にタッチペン又は指でタッチされた座標を取得するタッチパネルやマウス等のポインティングデバイス（座標入力手段）で構成することができ、画像を表示する液晶ディスプレイやＣＲＴディスプレイなどの表示部を併せ持つことができる。
【００８６】
この発明の構成と、上述の実施形態との対応において、
この発明の写真撮影装置は、実施形態の写真シール作成装置１に対応し、
以下同様に、
背景部材は、背面パネル６に対応し、
撮影姿勢補助体は、撮影補助椅子９に対応し、
表面は、表面シート９ｆに対応し、
撮影手段は、カメラ２４に対応し、
編集手段は、タブレット内蔵モニタ３１に対応し、
出力手段は、プリンタ３７に対応し、
照明手段は、背景照明ユニット２３９に対応し、
腰掛部の後方周辺は、後方領域Ｅ１に対応し、
腰掛部に腰掛けずに立っている利用者の頭頂は、利用者Ｍ１の頭頂ｈ１に対応し、
腰掛部に腰掛けている利用者の頭頂は、利用者Ｍ２の頭頂ｈ２に対応し、
撮影処理は、ステップＳ２に対応し、
出力処理は、ステップＳ５に対応するも、
この発明は、上述の実施形態の構成のみに限定されるものではなく、多くの実施の形態を得ることができる。
【図面の簡単な説明】
【００８７】
【図１】写真シール作成装置を正面側から見た斜視。
【図２】撮影筐体の斜視図。
【図３】写真シール作成装置を背面側から見た斜視図。
【図４】写真シール作成装置の撮影空間周辺の側面図。
【図５】写真シール作成装置のブロック図。
【図６】写真シール作成装置のゲーム処理のフローチャート。
【図７】適正姿勢への誘導の側面視による説明図。
【図８】足長画像となる仕組みの側面視による説明図。
【符号の説明】
【００８８】
１…写真シール作成装置、６…背面パネル、９…撮影補助椅子、９ａ…腰掛部、９ｃ…足位置制限部、９ｆ…表面シート、２４…カメラ、３１…タブレット内蔵モニタ、３７…プリンタ、２３９…背景照明ユニット、Ｅ１…後方領域、Ｅ２…撮影範囲、ｈ１，ｈ２…頭頂、Ｍ１，Ｍ２…利用者、Ｚ…撮影空間
【図１】
2008164906.tif 000003
【図２】
2008164906.tif 000004
【図３】
2008164906.tif 000005
【図４】
2008164906.tif 000006
【図５】
2008164906.tif 000007
【図６】
2008164906.tif 000008
【図７】
2008164906.tif 000009
【図８】
2008164906.tif 000010